(57)【要約】【課題】シート材の繰り出し軸用の軸受け部を備えているにもかかわらず、原反ロールを簡単に梱包することができ、しかもコンパクトに構成することができる原反ロール用梱包箱及び原反ロール梱包製品。【解決手段】この原反ロール用梱包箱は、シート材の原反ロール１３を梱包するためのもので、底壁部と、底壁部の一方の相対向する２辺から起立する一対の第１側壁部３，４と、底壁部の他方の相対向する２辺から起立する一対の第２側壁部５と、一方の第１側壁部３の上辺に折り曲げ自在に連接された上壁部６とを有する略矩形箱状に構成し、各第２側壁部５に、シート材の繰り出し軸を支持するための一対の軸受け部９を開口形成したものである。【選択図】　図１
2004131178.tif 000002
【特許請求の範囲】
【請求項１】
シート材（７）の原反ロール（１３）を梱包するための原反ロール用梱包箱であって、底壁部（２）と、前記原反ロール（１３）の軸心方向と略直交する方向に相対向する一対の第１側壁部（３）（４）と、前記原反ロール（１３）の軸心方向に相対向する一対の第２側壁部（５）と、一方の前記第１側壁部（３）の上辺に折り曲げ自在に連接された上壁部（６）とを有する略矩形箱状に構成し、前記各第２側壁部（５）に、前記シート材（７）の繰り出しに際して前記原反ロール（１３）の繰り出し軸（８）を支持する軸受け部（９）を開口形成したことを特徴とする原反ロール用梱包箱。
【請求項２】
一対の第２側壁部（５）間の間隔を、軸心方向に複数の軸部材（８ａ）に分割された前記繰り出し軸（８）の該各軸部材（８ａ）の長さよりも大きくしたことを特徴とする請求項１に記載の原反ロール用梱包箱。
【請求項３】
前記各軸受け部（９）の開口を塞ぐための塞ぎ部（３５）を設けたことを特徴とする請求項１又は２に記載の原反ロール用梱包箱。
【請求項４】
前記各第２側壁部（５）は、下辺が前記底壁部（２）に折り曲げ自在に連接された外壁部（２１）と、上辺が該外壁部（２１）の上辺側に折り曲げ自在に連接され且つ下辺が前記外壁部（２１）の内側で前記底壁部（２）に略当接された内壁部（２４）と、前記上壁部（６）が連接されていない側の前記第１側壁部（４）の側辺に折り曲げ自在に連接され且つ前記外壁部（２１）と内壁部（２４）との間に挟まれた第１中間壁部（２６）と、前記上壁部（６）が連接された側の前記第１側壁部（３）の側辺に折り曲げ自在に連接され且つ前記外壁部（２１）と内壁部（２４）との間に挟まれた第２中間壁部（２８）とを備え、少なくとも前記外壁部（２１）、前記内壁部（２４）及び前記第１中間壁部（２６）に、上側に開放する略Ｕ字孔状の切り欠き部（３２）（３３）（３４）を略重なるように形成し、該切り欠き部（３２）（３３）（３４）により前記軸受け部（９）を構成したことを特徴とする請求項１〜３の何れかに記載の原反ロール用梱包箱。
【請求項５】
前記上壁部（６）が連接された側の前記第１側壁部（３）の下辺を前記底壁部（２）に折り曲げ部（１６）を介して折り曲げ自在に連接し、該上壁部（６）が連接された側の第１側壁部（３）及び前記上壁部（６）を前記折り曲げ部（１６）廻りに開放した状態で、前記軸受け部（９）により前記繰り出し軸（８）を支持できるように構成したことを特徴とする請求項１〜４の何れかに記載の原反ロール用梱包箱。
【請求項６】
前記上壁部（６）の前記第２側壁部（５）側の相対向する２辺に、前記第２側壁部（５）の内側から前記軸受け部（９）の開口を塞ぐ前記塞ぎ部（３５）を折り曲げ自在に連接したことを特徴とする請求項３〜５の何れかに記載の原反ロール用梱包箱。
【請求項７】
前記シート材（７）の繰り出しに際してその裏面の糊保護シート（１２）の先端部を固定するための固定手段（４０）を設けたことを特徴とする請求項１〜６の何れかに記載の原反ロール用梱包箱。
【請求項８】
壁面（４１）側に繰り出された前記シート材（７）の裁断に際してカッター等の裁断具を案内する案内部材（７２）を備え、前記壁面（４１）の前記案内部材（７２）に対応する高さから前記シート材（７）の貼着箇所の下端までの距離（ｂ）に応じて前記案内部材（７２）から前記壁面（４１）までの距離（ａ）を所定距離に保持するための保持壁部（６７）を、前記第１側壁部（４）の上辺側に折り曲げ自在に連接したことを特徴とする請求項１〜７の何れかに記載の原反ロール用梱包箱。
【請求項９】
化粧シート（１０）の裏面側に糊層（１１）及びこの糊層（１１）の保護シート（１２）を有するシート材（７）の原反ロール（１３）を梱包箱（１）により梱包した原反ロール梱包製品であって、前記原反ロール（１３）は、前記化粧シート（１０）の表面が内側となるように前記シート材（７）が巻かれており、前記梱包箱（１）は、底壁部（２）と、前記原反ロール（１３）の軸心方向と略直交する方向に相対向する一対の第１側壁部（３）（４）と、前記原反ロール（１３）の軸心方向に相対向する一対の第２側壁部（５）と、一方の前記第１側壁部（３）の上辺に折り曲げ自在に連接された上壁部（６）とを有する略矩形箱状に構成され、前記各第２側壁部（５）に、前記シート材（７）の繰り出しに際して前記原反ロール（１３）の繰り出し軸（８）を支持する軸受け部（９）が開口形成されていることを特徴とする原反ロール梱包製品。
【請求項１０】
前記上壁部（６）が連接された側の第１側壁部（３）の下辺を、前記底壁部（２）に折り曲げ部（１６）を介して折り曲げ自在に連接し、該第１側壁部（３）及び前記上壁部（６）を前記折り曲げ部（１６）廻りに開放した状態で、前記軸受け部（９）により前記繰り出し軸（８）を支持できるように構成すると共に、前記上壁部（６）が連接された前記第１側壁部（３）側の内面に、前記シート材（７）の繰り出しに際して前記保護シート（１２）の先端側を固定するための固定手段（４０）を設けたことを特徴とする請求項９に記載の原反ロール梱包製品。
【発明の詳細な説明】
【０００１】
【発明の属する技術分野】
本発明は、原反ロール用梱包箱及びその梱包箱により原反ロールが梱包された原反ロールの梱包製品、とりわけ、原反ロールの繰り出し軸の軸受け部を備えた梱包箱に関するものである。
【０００２】
【従来の技術】
従来、シート材の原反ロール用の梱包箱には、原反ロールの繰り出し軸を支持するための軸受け部を備えたものがある。（例えば特許文献１）
この梱包箱は、底壁部、この底壁部の一方の相対向する２辺から起立する一対の第１側壁部、底壁部の他方の相対向する２辺から起立する一対の第２側壁部、及び一方の第１側壁部の上辺に折り曲げ自在に連接された上壁部からなる略矩形箱状の箱本体と、この箱本体内の各第２側壁部側に嵌脱自在に嵌合される一対の紙管保持部材とを備えている。
【０００３】
紙管保持部材は、箱本体内に丁度嵌合するような方形で、その中央に原反ロールの軸方向の丸穴状の軸受け部が形成され、この軸受け部により原反ロールからその軸方向の両側に突出する紙管（繰り出し軸）を回転自在に支持するようになっている。従って、この梱包箱は、原反ロールを箱本体内に収容したまま、上壁部を開放してシート材を繰り出すことができ、シート材の繰り出し装置を兼用できる利点がある。
【０００４】
【特許文献１】
特開平９−２６７８４６号公報
【０００５】
【発明が解決しようとする課題】
しかし、上記の梱包箱には次のような問題がある。即ち、原反ロールを梱包する際に、先ず紙管の両側の原反ロールからの突出部分を紙管保持部材の軸受け部に挿通し、その状態で原反ロールと紙管保持部材とを一緒に箱本体に収容しなければならず、原反ロールの梱包作業が非常に煩わしい。
【０００６】
また原反ロールの両側に紙管保持部材を配置して、箱本体内に収容することから、この紙管保持部材分だけ箱本体を大きく構成する必要があり、製造、保管、運搬等の面でコストアップの原因となる。
【０００７】
本発明は、かかる従来の問題点に鑑み、シート材の繰り出し軸用の軸受け部を備えているにもかかわらず、原反ロールを簡単に梱包することができ、しかもコンパクトに構成することができる原反ロール用梱包箱及び原反ロール梱包製品を提供することを目的とする。
【０００８】
【課題を解決するための手段】
本発明の原反ロール用梱包箱は、シート材７の原反ロール１３を梱包するための原反ロール用梱包箱であって、底壁部２と、前記原反ロール１３の軸心方向と略直交する方向に相対向する一対の第１側壁部３，４と、前記原反ロール１３の軸心方向に相対向する一対の第２側壁部５と、一方の前記第１側壁部３の上辺に折り曲げ自在に連接された上壁部６とを有する略矩形箱状に構成し、前記各第２側壁部５に、前記シート材７の繰り出しに際して前記原反ロール１３の繰り出し軸８を支持する軸受け部９を開口形成したものである。
【０００９】
また本発明の原反ロール梱包製品は、化粧シート１０の裏面側に糊層１１及びこの糊層１１の保護シート１２を有するシート材７の原反ロール１３を梱包箱１により梱包した原反ロール梱包製品であって、前記原反ロール１３は、前記化粧シート１０の表面が内側となるように前記シート材７が巻かれており、前記梱包箱１は、底壁部２と、前記原反ロール１３の軸心方向と略直交する方向に相対向する一対の第１側壁部３，４と、前記原反ロール１３の軸心方向に相対向する一対の第２側壁部５と、一方の前記第１側壁部３の上辺に折り曲げ自在に連接された上壁部６とを有する略矩形箱状に構成され、前記各第２側壁部５に、前記シート材７の繰り出しに際して前記原反ロール１３の繰り出し軸８を支持する軸受け部９が開口形成されている。
【００１０】
【発明の実施の形態】
以下、本発明の実施形態を図面に基づいて詳述する。なお、各実施形態において、同一名称部位には同一の符号を付して、その説明を極力省略する。
【００１１】
図１〜図１２は本発明の第１の実施形態を例示している。図１において、１は原反ロール用梱包箱（以下、単に梱包箱という）で、この梱包箱１は、図７、図８等にも示すように、底壁部２と、この底壁部２の一方の相対向する２辺から起立する（即ち原反ロール１３の軸心方向と略直交する方向に相対向する）一対の第１側壁部３，４と、底壁部２の他方の相対向する２辺から起立する（即ち原反ロール１３の軸心方向に相対向する）一対の第２側壁部５と、一方の第１側壁部３の上辺に折り曲げ自在に連接された上壁部６とにより略矩形箱状に構成され、各第２側壁部５に、シート材７の繰り出し軸８を支持するための一対の軸受け部９が形成されている。
【００１２】
シート材７は、図２に示すように、例えば壁紙用等の化粧シート１０と、この化粧シート１０の裏面側の生糊等の糊層１１と、この糊層１１を保護するための保護シート１２とを有し、化粧シート１０の表面が外側となるように、シート材７が巻き芯１４に巻き付けられて原反ロール１３が構成されている。（以下、化粧シート１０の表面が外側となる巻き方を「表巻き」という）
なお、梱包箱１は、原反ロール１３の軸心方向に長い略直方体形状に構成されており、その略長方形状の底壁部２の短辺側の第２側壁部５に軸受け部９が形成されている。また梱包箱１は、１個の原反ロール１３を丁度梱包できる程度の大きさに構成されている。
【００１３】
繰り出し軸８は、例えば図３（ａ）に示すように、紙管等の略円筒形状の軸部材８ａを軸心方向に２本備え、各軸部材８ａが原反ロール１３の巻き芯１４の両側に、その両側から適当に突出するように挿入されるようになっている。なお、各軸部材８ａは少なくとも各第２側壁部５間の間隔よりも短く、好ましくは、２本の軸部材８ａを足した長さが原反ロール１３の軸方向の長さよりも短くなっており、原反ロール１３の軸心方向の中間部を除く両端側のみに挿入されて使用されるようになっている。
【００１４】
また繰り出し軸８は、図３（ｂ）に示すように、軸心方向に３本の軸部材８ａを備えても良い。この例の各軸部材８ａは、例えば套嵌状に連結され、原反ロール１３の巻き芯１４に挿入されたときに、その両側から適当に突出するようになっている。なお、繰り出し軸８は４本以上の軸部材８ａを備えても良い。
【００１５】
梱包箱１は、図４に示すように、１枚の段ボールシート１５から組み立てられるようになっている。底壁部２は例えば略長方形状等の矩形状で、その相対向する長辺に折り曲げ部１６を介して一対の第１側壁部３，４の下辺が折り曲げ自在に連接されている。各第１側壁部３，４は例えば底壁部２と略同一形状の略長方形状等の矩形状で、一方の第１側壁部３の上辺には折り曲げ部１８を介して上壁部６が折り曲げ自在に連接され、また他方の第１側壁部４の上辺には折り曲げ部１９を介してその上辺方向の帯状部１７が折り曲げ自在に連接されている。上壁部６は、例えば底壁部２と略同一形状の略長方形状等の矩形状に構成されている。また帯状部１７は、その長手方向に例えば第１側壁部４と略同一の長さを有する帯状に構成されている。
【００１６】
各第２側壁部５は、その下辺が底壁部２の相対向する短辺に折り曲げ部２０を介して折り曲げ自在に連接され且つ略正方形状等の矩形状に構成された外壁部２１と、上辺がこの外壁部２１の上辺側に折り曲げ部２２，２３を介して折り曲げ自在に連接され且つ外壁部２１と略同一形状の矩形状に構成された内壁部２４と、帯状部１７が連接された側の第１側壁部４の相対向する側辺に折り曲げ部２５を介して折り曲げ自在に連接された第１中間壁部２６と、上壁部６が連接された側の第１側壁部３の相対向する側辺に折り曲げ部２７を介して折り曲げ自在に連接された第２中間壁部２８とを備えている。
【００１７】
第２側壁部５は、底壁部２の相対向する短辺から外壁部２１が起立し、この外壁部２１の内側に内壁部２４がその下辺が底壁部２に当接又は近接するように起立し、この外壁部２１と内壁部２４との間に第１中間壁部２６及び第２中間壁部２８が挟まれるようになっている。なお、外壁部２１の上辺側の折り曲げ部２２と内壁部２４の上辺側の折り曲げ部２３との間には、外壁部２１と内壁部２４との間に第１中間壁部２６及び第２中間壁部２８を収容し得る程度の間隔を形成するための帯部２９が設けられている。
【００１８】
内壁部２４には、その下辺の略中央に下方に突出する係合突起３０が形成されており、図７にも示すように、この係合突起３０が底壁部２の各第２側壁部５側に開口状に形成された係合穴部３１に係合することにより、内壁部２４等の起立姿勢を保持できるようになっている。
【００１９】
第１中間壁部２６と第２中間壁部２８とはその幅が異なっており、図８にも示すように、第１中間壁部２６が第２側壁部５の幅方向の略中央の軸受け部９を越す程度の幅であるのに対し、第２中間壁部２８がこの第１中間壁部２６に近接又は当接される程度の幅であり、組み立て状態のときに第１中間壁部２６と第２中間壁部２８とが重なり合わないようになっている。なお、第２中間壁部２８は、その上先端側の角が円弧状に面取りされている。
【００２０】
軸受け部９は、外壁部２１、内壁部２４及び第１中間壁部２６に夫々開口形成された上側に開放する略Ｕ字孔状の切り欠き部３２，３３，３４により構成されており、それら各切り欠き部３２，３３，３４が、組み立て状態のときに略重なるようになっている。なお、外壁部２１及び内壁部２４の切り欠き部３２，３３は、帯部２９を跨いで連続する長穴状に形成されている。軸受け部９は、図１１等に示すように、第２中間壁部５の上下方向の中心よりも上側に偏った状態で原反ロール１３を支持するように構成されている。
【００２１】
第１中間壁部２６の切り欠き部３４は原反ロール１３の梱包時には形成されておらず、塞ぎ部３５により塞がれている。即ち、第１中間壁部２６には、外壁部２１及び内壁部２４の切り欠き部３２，３３に沿って間欠的に切断された切り取り部（ミシン目）３５ａが形成され、その内側が塞ぎ部３５となっており、この塞ぎ部３５を第１中間壁部２６から切り取ったときに、切り欠き部３４が形成されて軸受け部９が開口されるようになっている。従って、塞ぎ部３５は、原反ロール１３の梱包時に軸受け部９の開口を塞ぎ、また軸受け部９を使用する際に切り取り部３５ａに沿って取り外されるようになっている。
【００２２】
なお、切り取り部３５ａは、切り欠き部３２，３３に沿って第１中間壁部２６に厚さ方向の切り込みを入れたハーフカットにより構成しても良い。また、外壁部２１及び又は内壁部２４の切り欠き部３２，３３を塞ぎ部３５により塞ぎ、その塞ぎ部３５を切り取り部に沿って切り離せるように構成しても良い。
【００２３】
上壁部６の第１側壁部３との対向辺には、その中央に折り曲げ部３６を介して挿入部３７が折り曲げ自在に連接されている。この挿入部３７は例えば略矩形状で、帯状部１７の折り曲げ部１９近傍に形成された挿入スリット３８に挿入されるようになっている。挿入スリット３８は、第１側壁部４の上辺から帯状部１７側に形成された略コ字状の切れ目３９により形成されており、図１にも示すように、帯状部１７の折り曲げ部１９を内側に折り曲げたときに、挿入部３７を挿入可能に開口するようになっている。
【００２４】
帯状部１７の外面（又は内面）には、図１にも示すように、両面テープ（固定手段）４０がその長手方向の略全体に亘って貼着されている。この両面テープ４０は、原反ロール１３からシート材７を繰り出す際に、その保護シート１２の先端部を剥離可能に貼着して固定するためのものである。なお、両面テープ４０は、原反ロール１３に対応するように設けていれば十分であり、例えば帯状部１７の長手方向に複数に分割して設けても良い。また固定手段は、両面テープ４０に限られるものでなく、例えば保護シート１２の先端部を挟持して固定可能な切り込み等を帯状部１７又は第１側壁部４の上部側に形成しても良い。
【００２５】
次に、上記構成の梱包箱１の組み立て及び原反ロール１３の梱包について、図５及び図６を参照して説明する。先ず、図５（ａ）に示すように、底壁部２と各第１側壁部３，４との間の各折り曲げ部１６を折り曲げて、各第１側壁部３，４を底壁部２に対して略直角に立ち上げ、次いで、第１中間壁部２６及び第２中間壁部２８が各第１側壁部３，４に対して内側に略直角をなすように、各第１側壁部３，４と第１中間壁部２６及び第２中間壁部２８との間の各折り曲げ部２５，２７を折り曲げる。
【００２６】
そして、図５（ｂ）に示すように、底壁部２と外壁部２１との間の折り曲げ部２０を折り曲げて、外壁部２１を底壁部２に対して略直角に立ち上げ、次いで、内壁部２４が外壁部２１、第１中間壁部２６及び第２中間壁部２８の内側で起立状となるように、外壁部２１と帯部２９との間及び帯部２９と内壁部２４との間の各折り曲げ部２２，２３を折り曲げる。このとき、内壁部２４の下辺が底壁部２に略当接し、その係合突起３０が底壁部２の係合穴部３１に係合するので、内壁部２４の起立状態が保持される。
【００２７】
次に、図６（ａ）に示すように、原反ロール１３を上側から収容する。このとき、図３（ａ）に示すように繰り出し軸８を２本の軸部材８ａにより構成した場合には、原反ロール１３の巻き芯１４の中に各軸部材８ａを収容した状態で梱包すれば良いし、図３（ｂ）に示すように繰り出し軸８を３本の軸部材８ａを構成した場合には、その一部又は全部を梱包箱１の隅等、適宜箇所に配置して梱包すれば良い。なお、原反ロール１３の梱包に際して、原反ロール１３を合成樹脂製シート等により密閉状に包装しておけば、糊層１１の乾燥を防止することができる。
【００２８】
そして、図６（ｂ）に示すように、帯状部１７が略水平となるように、第１側壁部４と帯状部１７との間の折り曲げ部１９を内側に折り曲げ、次いで、第１側壁部３と上壁部６との間の折り曲げ部１８を折り曲げて、上壁部６により梱包箱１の上側に蓋をする。このとき、上壁部６と挿入部３７との間の折り曲げ部３６を折り曲げて、挿入部３７を帯状部１７の挿入スリット３８に挿入する。最後に、上壁部６が開放しないように、上壁部６と第１側壁部４等とを粘着テープ６１等により止めて、梱包箱１の組み立て及び原反ロール１３の梱包作業が完了する。
【００２９】
図７及び図８は、梱包箱１により原反ロール１３を梱包した状態を示している。このように、軸受け部９を各第２側壁部５に開口形成しているので、第２側壁部５と原反ロール１３との間に軸受け用の部材等を配置する必要がなく、各第２側壁部５間の間隔を小さくすることができ、梱包箱１をコンパクトに構成することができる。また軸受け部９を梱包箱１に一体に設けているので、別々に設けた場合に比べて原反ロール１３の梱包作業を簡単にすることができる。
【００３０】
繰り出し軸８を複数の軸部材８ａにより構成し、その各軸部材８ａの長さを各第２側壁部５間の長さよりも小さくしているので、原反ロール１３と共に梱包箱１内に容易に梱包することができる。
【００３１】
更に、軸受け部９の開口を塞ぐ塞ぎ部３５を設けているので、原反ロール１３が外側から見えることもなく、また原反ロール１３のシート材７の損傷の惧れも少なくできる。
【００３２】
次に、この梱包箱１を使用して、原反ロール１３からシート材７を繰り出す際の説明をする。先ず、梱包箱１から原反ロール１３を取り出し、その巻き芯１４に繰り出し軸８をセットする。なお、図３（ａ）に示すように繰り出し軸８を２本の軸部材８ａにより構成し、巻き芯１４の中に挿入した状態で梱包していた場合には、各軸部材８ａを巻き芯１４の両側から適当な量だけ引き出せば良い。また図３（ｂ）に示すように繰り出し軸８を３本の軸部材８ａにより構成した場合には、各軸部材８ａを連結してから、巻き芯１４の両側からの突出量が略同等となるように巻き芯１４に挿通すれば良い。
【００３３】
なお、本実施形態では原反ロール１３を表巻きにしているので、シート材７が原反ロール１３の上側から壁面４１側に繰り出されるように原反ロール１３をセットすれば、化粧シート７の表面が手前となるようにシート材７を繰り出すことができる。
【００３４】
そして、図９に仮想線で示すように、外壁部２１と内壁部２４との間から第２中間壁部２８を抜脱すると共に、上壁部６と上壁部６が連接された側の第１側壁部３とを開放し、第１中間壁部２６の塞ぎ部３５を切り取り部３５ａに沿って取り外した後、図１０に示すように梱包箱１の両側の軸受け部９に繰り出し軸８の各軸部材８ａを上側から嵌合して、原反ロール１３を横軸心廻りに回転自在に装着する。このように、原反ロール１３をその少なくとも大半が梱包箱１に入った状態にセットして、シート材７を繰り出していく。因みに、原反ロール１３の軸心が壁面４１及び床面４２と略平行となるように、梱包箱１及び原反ロール１３をセットする。
【００３５】
なお、繰り出し軸８を２本の軸部材８ａにより構成した場合、各軸受け部材８ａは、図３（ａ）及び図１０に示すように，一端側が原反ロール１３の各端部側に挿入されて原反ロール１３を支持すると共に、原反ロール１３及び第２側壁部５の外側に突出する他端側が軸受け部９に支持されるようになっている。またシート材７の繰り出しに際して、原反ロール１３が横軸心廻りに回転するときには、原反ロール１３の巻き芯１４と軸部材８ａとの間が滑っても良いし、軸受け部９と軸部材８ａとの間が滑っても良い。
【００３６】
なお、第２側壁部５の外壁部２１、内壁部２４及び第１中間壁部２６の各切り欠き部３２，３３，３４により軸受け部９を構成しているので、軸受け部９を構成する第２側壁部５が３枚重ねとなり、その強度を確保できる。
【００３７】
図１１はシート材７を原反ロール１３から壁面４１側に直接繰り出して貼り付ける場合の一例を示す説明図である。このとき、帯状部１７が連接された側の第１側壁部４を壁面４１側に向け、その第１側壁部４を壁面４１に略平行に近接させて配置し、上壁部６と上壁部６が連接された側の第１側壁部３とを壁面４１と反対側の床面４２上に開放しておく。なお、この開放した上壁部６及び第１側壁部３に脚立４３等の立ち台を乗せることにより、梱包箱１を壁面４１に対して適当な位置に固定することができる。
【００３８】
シート材７を繰り出す際には、先ずシート材７の先端部の保護シート１２側を帯状部１７の両面テープ４０に貼着固定する。そして保護シート１２を両面テープ４０に固定したまま、先端側から化粧シート１０と保護シート１２とを剥離し、化粧シート１０を壁面４１に沿って上側に繰り出していく。なお、両面テープ４０に替えて、帯状部１７に粘着剤等の接着剤を塗布し、その接着剤を介して保護シート１２を剥離可能に貼着しても良い。
【００３９】
すると、その繰り出しに伴って上側半分程度の保護シート１２が化粧シート１０から剥がれていくので、化粧シート１０の上端部を壁面４１の貼着領域の上端部にその糊層１１により仮止めし、次いで、下側の保護シート１２も化粧シート１０から剥がして、化粧シート１０の全体を壁面４１に貼着する。なお、シート材７を裁断する際には、帯状部１７の端縁に沿ってカッター等の裁断具で裁断することにより、まっすぐに裁断することができる。
【００４０】
なお、原反ロール１３からシート材７を繰り出すに際して、上壁部３が連接された第１側壁部３を壁面４１側に向けて梱包箱１を配置し、上壁部６及び第１側壁部３を壁面４１側に開放しておいても良い。このように使用する場合には、第１側壁部３又はその近傍の内面に両面テープ４０を設けて保護シート１２の先端を固定するようにすればよい。
【００４１】
また天井等、シート材７を直接繰り出して貼着できない所に化粧シート１０を貼着する場合には、例えば図１２に示すように、床面４２上に開放された上壁部６及び第１側壁部３の上にシート材７を繰り出し、この上でシート材７を裁断して、裁断後のシート材７を貼着箇所まで運搬しても良い。また繰り出されたシート材７を上壁部６及び第１側壁部３の上に仮置きすることもできる。
【００４２】
図１３〜図２０は本発明の第２の実施形態を例示している。この実施形態の第１中間壁部２６は、図１３に示すように、帯状部１７が連接された側の第１側壁部４の各短辺の略全体に折り曲げ部２５を介して折り曲げ自在に連接され且つ外壁部２１及び内壁部２４と略同一形状又は若干小さい略正方形状等の略矩形状に構成された第１壁部４４と、この第１壁部４４の第１側壁部４との対辺に折り曲げ部４５を介して折り曲げ自在に連接され且つ第１壁部４４と略同一形状の略矩形状に構成された第２壁部４６とを備え、組み立て状態のときに２枚重ねにされるようになっている。
【００４３】
第２中間壁部２８は、上壁部６が連接された側の第１側壁部３の各短辺の略全体に折り曲げ部２７を介して折り曲げ自在に連接されている。また第２中間壁部２８は、底壁部２、第１側壁部３及び外壁部２１の接点部分又はその近傍を中心とする略四半円形状に構成されている。
【００４４】
なお、この実施形態では、図１７にも示すように、組み立て状態のときに、第１壁部４４，第２壁部４６及び第２中間壁部２８が重なって外壁部２１と内壁部２４との間に挟まれるため、外壁部２１と内壁部２４との間の帯部２９の幅が第１の実施形態に比べて大きくなっている。
【００４５】
軸受け部９は、外壁部２１、内壁部２４、第１壁部４４及び第２壁部４６に夫々開口形成された上側に開放する略Ｕ字孔状の切り欠き部３２，３３，３４ａ，３４ｂにより構成されており、それら各切り欠き部３２，３３，３４ａ，３４ｂが、組み立て状態のときに略重なるようになっている。
【００４６】
塞ぎ部３５は略矩形状で、上壁部６の短辺側にその中央よりも第１側壁部３側に偏って折り曲げ部６２を介して折り曲げ自在に連接されており、上壁部６が閉状態のときに、軸受け部９の開口を第２側壁部５の内側から塞ぐようになっている。また塞ぎ部３５は、その先端側の両角が円弧状に面取りされている。なお、塞ぎ部３５は、軸受け部９の開口を塞ぐことができれば十分であり、上壁部６の短辺の略中央、又はその全長に亘って設けても良いし、その形状も例えば軸受け部９に対応する略Ｕ字状等に形成しても良い。
【００４７】
また上壁部６の短辺側の塞ぎ部３５が連接されていない部分には、折り曲げ部６２よりも外側に突出され且つ上壁部６が閉状態のときに第２側壁部５の帯部２９に上側から当接される当接部６０が形成されている。
【００４８】
上壁部６の第１側壁部３と反対側の長辺には、その長辺方向の両側に折り曲げ部４９を介して一対の第１挿入部４８が折り曲げ自在に連接され、この各第１挿入部４８が帯状部１７に形成された各第１挿入スリット５０に挿入されるようになっている。第１挿入スリット５０は、第１側壁部４の上辺から帯状部１７側に形成された略コ字状の切れ目４７により形成されており、図１６（ａ）にも示すように、帯状部１７の折り曲げ部１９を内側に折り曲げたときに、第１挿入部４８を挿入可能に開口するようになっている。
【００４９】
各第１挿入部４８には、折り曲げ部４９から第１挿入部４８側への略コ字状の切れ目５１が入れられ、図１６（ａ）にも示すように、折り曲げ部４９を折り曲げたときに第２挿入スリット５２が形成されるようになっている。この第２挿入スリット５２に対応して、帯状部１７及び第１側壁部４には第２挿入部５３が形成されており、この第２挿入部５３を第２挿入スリット５２に挿入して、上壁部６の開放を防止できるようになっている。
【００５０】
第２挿入部５３は、第１側壁部４の上部側から帯状部１７に亘る略倒立Ｕ字状の切れ目５４により形成されており、その基部側及び折り曲げ部１９に対応する位置に各折り曲げ部５５，５６が夫々形成され、折り曲げ部５６よりも先端側が第２挿入スリット５２に挿入されるようになっている。なお、第２挿入スリット５２を形成する切れ目５１から上壁部６側には、第２挿入部５３の挿脱操作のための操作部５７が略半円切り欠き状に形成されている。
【００５１】
次に、上記構成の梱包箱１の組み立て及び原反ロール１３の梱包について、図１４〜図１６を参照して説明する。先ず、図１４（ａ）に示すように、底壁部２と各第１側壁部３，４との間の折り曲げ部１６を折り曲げて、各第１側壁部３，４を底壁部２に対して略直角に立ち上げ、次いで、第１中間壁部２６の第１壁部４４と第２壁部４６との間の折り曲げ部４５を折り曲げてその両者を重ね合わせ、それらが第１側壁部４に対して内側に略直角をなすように、第１側壁部４と第１壁部４４との間の折り曲げ部２５を折り曲げる。その後、図１４（ｂ）に示すように、第２中間壁部２８が第１中間壁部２６の外側に重なるように、第１側壁部３と第２中間壁部２８との間の折り曲げ部２７を折り曲げる。
【００５２】
そして、図１５（ａ）に示すように、底壁部２と外壁部２１との間の折り曲げ部２０を折り曲げて、外壁部２１を底壁部２に対して略直角に立ち上げ、次いで、図１５（ｂ）に示すように、内壁部２４が外壁部２１、第１壁部４４、第２壁部４６及び第２中間壁部２８の内側で起立状となるように、外壁部２１と帯部２９との間及び帯部２９と内壁部２４との間の折り曲げ部２２，２３を折り曲げる。
【００５３】
次に、図１５（ｂ）に示すように、原反ロール１３を上側から収容し、図１６（ａ）に示すように、帯状部１７が略水平となるように、第１側壁部４と帯状部１７との間の折り曲げ部１９を内側に折り曲げ、次いで、第２挿入部５３の各折り曲げ部５５，５６を折り曲げて、第２挿入部５３を外側に退避させる。そして、第１挿入部４８及び塞ぎ部３５が上壁部６に対して内側に略直角をなすようにその各折り曲げ部４９，６２を折り曲げ、第１挿入部４８が第１挿入スリット５０に、塞ぎ部３５が第２側壁部５の内側に夫々挿入されるように、上壁部６と第１側壁部３との間の折り曲げ部１８を折り曲げて、上壁部６により梱包箱１の上側に蓋をする。最後に、図１６（ｂ）に示すように、第２挿入部５３の先端側を第２挿入スリット５２に挿入して、梱包箱１の組み立て及び原反ロール１３の梱包作業が完了する。
【００５４】
図１７及び図１８は、本実施形態の梱包箱１により原反ロール１３を梱包した状態を示している。このように、上壁部６の短辺側に連接された塞ぎ部３５が、第２側壁部５の内側から軸受け部９の開口を塞いでいるので、第１の実施形態と同様にシート材７の損傷等を防止できる。
【００５５】
この実施形態の梱包箱１を使用して原反ロール１３からシート材７を繰り出す際には、第１の実施形態と略同様にすれば良い。なお、この実施形態では、上壁部６の第２側壁部５側の相対向する２辺に、第２側壁部５の内側から軸受け部９の開口を塞ぐ塞ぎ部３５を折り曲げ自在に連接しているので、上壁部６を開放するだけで軸受け部９が軸受け可能な状態になる。
【００５６】
また第１中間壁部２６を第１壁部４４と第２壁部４６との２枚重ねとし、図２０に示すように、第２側壁部５の外壁部２１、内壁部２４、第１壁部４４及び第２壁部４６の各切り欠き部３２，３３，３４ａ，３４ｂにより軸受け部９を構成しているので、軸受け部９を構成する第２側壁部５が４枚重ねとなり、その強度を更に高めることができる。
【００５７】
更に、第２中間壁部２８を略四半円形状に構成しているので、図１９に仮想線で示すように、外壁部２１と内壁部２４との間への第２中間壁部２８の挿脱を簡単にでき、上壁部６及び上壁部６が連接された側の第１側壁部３を開放するとき、また使用後に余った原反ロール１３を再度梱包する際にも便利である。
【００５８】
なお、この実施形態では第１挿入部４８と第１挿入スリット５０、及び第２挿入部５３と第２挿入スリット５２とを設け、上壁部６の開放を防止することができるので、粘着テープ、梱包ロープ等を使用しなくても良いが、別段使用しても構わない。
【００５９】
図２１〜図２３は本発明の第３の実施形態を例示している。この実施形態は、第２の実施形態において、第１中間壁部２６の第２壁部４６を省略したものである。従って、この実施形態では、図２３にも示すように、外壁部２１、内壁部２４及び第１中間壁部２６の第１壁部４４の各切り欠き部３２，３３，３４ａにより軸受け部９が構成されている。このように、第１中間壁部２６は２枚重ね以外にも、１枚としても良いし、また３枚重ね以上にしても良い。なお、この実施形態の梱包箱１の組み立て、シート材７を繰り出す際の手順等に関しては、前述の実施形態と略同様であるので省略する。
【００６０】
図２４〜図３１は本発明の第４の実施形態を例示している。この実施形態では、図２４、図２５等に示すように、第１中間壁部２６と第２中間壁部２８とが重なり合うと共に、外壁部２１、内壁部２４、第１中間壁部２６及び第２中間壁部２８に夫々開口形成された上側に開放する略Ｕ字孔状の切り欠き部３２，３３，３４，６３により軸受け部９が構成されている。
【００６１】
第１中間壁部２６には、切り欠き部３４の下側に対応して下辺側から例えば鋭角の山型等に切り欠かれた第１係合部５８が形成されている。第１中間壁部２６は、その第１係合部５８よりも先端側の下辺が基部側の下辺よりも上側に位置されており、また下先端側の角が円弧状に面取りされている。
【００６２】
第２中間壁部２８には、切り欠き部６３の底部から下側に例えば鋭角のスリット状等に切り欠かれた第２係合部５９が形成され、この第２係合部５９と第１中間壁部２６の第１係合部５８とが係合されるようになっている。第２中間壁部２８は、その切り欠き部６３よりも先端側の上辺が基部側の上辺よりも下側に位置されており、また下先端側の角が円弧状に面取りされている。
【００６３】
なお、この実施形態では、内壁部２４の下端部の係合突起３０及びこの係合突起３０が係合する係合穴部３１が形成されていないが、内壁部２４の側縁部と各第１側壁部３，４との摩擦等により内壁部２４を起立状に保持可能である。なお、第１〜第３の実施形態において、本実施形態と同様に係合突起３０及び係合穴部３１を設けなくても良いし、本実施形態においてそれらを設けても良い。
【００６４】
次に、上記構成の梱包箱１の組み立て及び原反ロール１３の梱包について、図２５及び図２６を参照して説明する。先ず、図２５（ａ）に示すように、底壁部２と各第１側壁部３，４との間の折り曲げ部１６を折り曲げて、各第１側壁部３，４を底壁部２に対して略直角に立ち上げ、次いで、第１中間壁部２６及び第２中間壁部２８が各第１側壁部３，４に対して内側に略直角をなすように、各第１側壁部３，４と第１中間壁部２６及び第２中間壁部２８との間の各折り曲げ部２５，２７を折り曲げる。このとき、図２９にも示すように、第１中間壁部２６の第１係合部５８を第２中間壁部２８の第２係合部５９に上側から係合させ、第１中間壁部２６と第２中間壁部２８とを交差させる。
【００６５】
なお、第１中間壁部２６の先端側の下辺をその基部側よりも上側に配置し、第２中間壁部２８の先端側の上辺をその基部側よりも下側に配置しているので、それらを極力変形させずに交差させることができる。また第１中間壁部２６及び第２中間壁部２８の先端側が外側となるように交差させても良いし、内側となるように交差させても良い。
【００６６】
そして、図２５（ｂ）に示すように、底壁部２と各外壁部２１との間の折り曲げ部２０を折り曲げて、各外壁部２１を底壁部２に対して略直角に立ち上げ、次いで、各内壁部２４が各外壁部２１、第１中間壁部２６及び第２中間壁部２８の内側で起立状となるように、各外壁部２１と帯部２９との間及び帯部２９と各内壁部２４との間の折り曲げ部２２，２３を折り曲げる。
【００６７】
次に、図２６（ａ）に示すように、原反ロール１３を上側から収容し、図２６（ｂ）に示すように、帯状部１７が略水平となるように、一方の第１側壁部４の上辺側の折り曲げ部１９を内側に折り曲げ、次いで、第２挿入部５３の各折り曲げ部５５，５６を折り曲げて、第２挿入部５３を外側に退避させる。そして、第１挿入部４８及び塞ぎ部３５が上壁部６に対して内側に略直角をなすようにその各折り曲げ部４９，６２を折り曲げ、第１挿入部４８が第１挿入スリット５０に、塞ぎ部３５が第２側壁部５の内側に夫々挿入されるように、上壁部６と第１側壁部３との間の折り曲げ部１８を折り曲げて、上壁部６により梱包箱１の上側に蓋をする。最後に、図２６（ｃ）に示すように、第２挿入部５３の先端側を第２挿入スリット５２に挿入して、梱包箱１の組み立て及び原反ロール１３の梱包作業が完了する。
【００６８】
図２７及び図２８は、本実施形態の梱包箱１により原反ロール１３を梱包した状態を示している。この実施形態では、図２８に示すように、第１中間壁部２６の第１係合部５８と第２中間壁部２８の第２係合部５９とを係合させているので、上壁部６を開放させても上壁部６が連接された側の第１側壁部３が開放されることがなく、箱形状に保持することができる。
【００６９】
次に、この実施形態の梱包箱１を使用して、原反ロール１３からシート材７を繰り出す際の説明をする。この実施形態の梱包箱１は、上壁部６を開放させるだけで、軸受け部９によりシート材７の繰り出し軸８を支持することができる。なお、図２９に示すように、外壁部２１、内壁部２４、第１中間壁部２６及び第２中間壁部２８の各切り欠き部３２，３３，３４，６３により軸受け部９を構成しているので、軸受け部９の強度を高めることができる。
【００７０】
図３０はシート材７を原反ロール１３から壁面４１側に直接繰り出して貼り付ける際の一例を示す説明図である。なお、原反ロール１３は、例えば表巻きになっている。このとき、帯状部１７が連接された側の第１側壁部４を壁面４１側に向け、その第１側壁部４を壁面４１に略平行に近接させて配置し、上壁部６のみを開放しておく。以降は、前述の実施形態と略同様にしてシート材７を繰り出して、その化粧シート１０を壁面４１に貼着すれば良い。
【００７１】
なお、第１中間壁部２６の第１係合部５８と第２中間壁部２８の第２係合部５９との係合を外した場合には、前述の実施形態と同様に、上壁部６と上壁部６が連接された側の第１側壁部３とを壁面４１と反対側の床面４２上に開放することも可能である。
【００７２】
なお、天井等、シート材７を直接繰り出して貼着できない所に化粧シート１０を貼着する場合には、例えば図３１に示すように、床面４２側にシート材７を繰り出し、適当な裁断用の台６４の上でシート材７を裁断して、このシート材７を貼着箇所まで運搬しても良い。
【００７３】
図３２〜図３６は本発明の第５の実施形態を例示している。この実施形態では、図３２に示すように、第１側壁部４と帯状部１７との間に各折り曲げ部６５，６６を介して第２上壁部６７が折り曲げ自在に介在されている。
【００７４】
第２上壁部６７は、図３５にも示すように、組み立て状態のときに上壁部６の下側に重ねられるもので、上壁部６と略同一形状の長方形状等の矩形状に構成されている。また第２上壁部６７は、図３６に示すように、シート材７の繰り出し（少なくとも裁断）に際して略水平状に壁面４１に当接又は近接され、壁面４１に対する梱包箱１の位置決めに使用されるようになっている。
【００７５】
即ち、第２上壁部６７は、シート材７の裁断時にカッター等の裁断具を案内する案内部材（後述）７２から床面４２までの距離ｂに応じて、案内部材７２から前記壁面４１までの距離ａを所定距離に保持するための保持壁部を構成しており、その先端部を壁面４１に当接させることにより、案内部材７２から壁面４１までの距離ａと、案内部材７２から床面４２までの距離ｂとが、例えば略同一に保持されるようになっている。なお、保持壁部は、上壁部６により構成することも可能である。
【００７６】
また壁面４１の下端部に幅木がある場合を想定して、図３２に仮想線で示すように、第２上壁部６７に幅木の幅に応じて１又は複数の切断指示線６９を印刷等により付し、使用者等がこの切断指示線６９に沿って第２上壁部６７を切断することにより、幅木の上端部から壁面４１の案内部材７２に対応する高さまでの距離ｂ’と、壁面４１から案内部材７２までの距離ａとが例えば略同一になるようにしても良い。
【００７７】
なお、この実施形態では、挿入スリット３８を形成する切れ目３９は、第２上壁部６７の第１側壁部４側に形成されている。また両面テープ４０も第２上壁部６７の外面（又は内面）の第１側壁部４側に設けられている。
【００７８】
またこの実施形態では、上壁部６が連接された第１側壁部３と底壁部２とを、及びその第１側壁部３と上壁部６とを切り離すことができるように、それらの連接部分が間欠的に切断された切り取り部（ミシン目）１６ａ，１８ａが形成されている。第１側壁部３と底壁部２及び上壁部６との間は切り取り部１６ａ，１８ａにより折り曲げ自在に構成されている。なお、切り取り部１６ａ，１８ａは、厚さ方向の切り込みが入れられたハーフカットにより構成しても良い。
【００７９】
第１側壁部３及び第２中間壁部２８は、底壁部２と上壁部６との間の略中央に折り曲げ指示線７０が例えば印刷等により長手方向に付されており、使用者等により底壁部２及び上壁部６から切り離され、折り曲げ指示線７０に沿って二つ折りされるようになっている。また第１側壁部３と各第２中間壁部２８との間には、各折り曲げ部２７に沿って長穴状の取り付け穴７１が開口形成されている。なお、折り曲げ指示線７０は、例えば凹部、間欠的な切断部（ミシン目）等によって折り曲げやすいように設けても良い。
【００８０】
第１側壁部３及び第２中間壁部２８は、図３６に示すように、底壁部２及び上壁部６から切り離され、折り曲げ指示線７０に沿って略Ｖ字状に折り曲げられた状態で、各取り付け穴７１が各第２側壁部５に上側から嵌合するように、一対の第２側壁部５に跨って取り付けられ、シート材７の裁断時に、シート材７をまっすぐに裁断するためにカッター等の裁断具を案内するための（及び／又は原反ロール１３側のシート材７が損傷しないようにカッター等を案内するための）案内部材７２を構成するようになっている。他の構成は第１の実施形態と略同様である。なお、第２〜第４の実施形態と略同様に構成しても良い。
【００８１】
次に、上記構成の梱包箱１の組み立て及び原反ロール１３の梱包について、図３３及び図３４を参照して説明する。先ず、図３３（ａ）に示すように、底壁部２と各第１側壁部３，４との間の各折り曲げ部１６を折り曲げて、各第１側壁部３，４を底壁部２に対して略直角に立ち上げ、次いで、第１中間壁部２６及び第２中間壁部２８が各第１側壁部３，４に対して内側に略直角をなすように、各第１側壁部３，４と第１中間壁部２６及び第２中間壁部２８との間の各折り曲げ部２５，２７を折り曲げる。
【００８２】
そして、図３３（ｂ）に示すように、底壁部２と外壁部２１との間の折り曲げ部２０を折り曲げて、外壁部２１を底壁部２に対して略直角に立ち上げ、次いで、内壁部２４が外壁部２１、第１中間壁部２６及び第２中間壁部２８の内側で起立状となるように、外壁部２１と帯部２９との間及び帯部２９と内壁部２４との間の各折り曲げ部２２，２３を折り曲げる。
【００８３】
そして、原反ロール１３を上側から収容した後、図３４（ｂ）に示すように、帯状部１７と第２上壁部６７との間の折り曲げ部６６、第２上壁部６７と第１側壁部４との間の折り曲げ部６５を内側に折り曲げて、原反ロール１３の上側に第２上壁部６７を被せる。次いで、第１側壁部３と上壁部６との間の折り曲げ部１８を折り曲げて、上壁部６により梱包箱１の上側に蓋をする。このとき、上壁部６と挿入部３７との間の折り曲げ部３６を折り曲げて、挿入部３７を帯状部１７の挿入スリット３８に挿入する。最後に、上壁部６が開放しないように、上壁部６と第１側壁部４等とを粘着テープ６１等により止めて、梱包箱１の組み立て及び原反ロール１３の梱包作業が完了する。
【００８４】
次に、この実施形態の梱包箱１を使用して、原反ロール１３からシート材７を繰り出す際の説明をする。軸受け部９への繰り出し軸８のセットに際しては、第１の実施形態と略同様にすれば良いが、図３５に仮想線で示すように上壁部６と上壁部６が連接された側の第１側壁部３とを開放し、第１中間壁部２６の塞ぎ部３５を切り取り部３５ａに沿って取り外すと共に、第２上壁部６７及び帯状部１７も第１側壁部３の外側に開放しておく。
【００８５】
図３６はシート材７を原反ロール１３から壁面４１側に直接繰り出して貼り付ける場合の一例を示す説明図である。なお、原反ロール１３は表巻きである。このとき、第２上壁部６７が連接された側の第１側壁部４を壁面４１側に向けておく。また第１側壁部３と底壁部２及び第上壁部６とをその間の各切り取り部１６ａ，１８ａに沿って切り離し、第１側壁部３及び第２中間壁部２８を折り曲げ指示線７０に沿って縦方向に折り曲げ、原反ロール１３よりも壁面側４１で両側の取り付け穴７１に各第２側壁部５を嵌め込んで案内部材７２をセットする。なお、上壁部６は、壁面４１の近傍で床面４２上に敷いて床面４２を糊等による汚れから保護するための養生シート７３として使用することも可能である。
【００８６】
次に、一旦第２上壁部６７を内側に折り込み、その両面テープ４０にシート材７の先端の保護シート１２側を貼着固定し、その先端側の化粧シート１０を保護シート１２から剥離する。なお、化粧シート１０の上端部を壁面４１の上端部に仮止めできる程度に剥離すれば十分である。そして保護シート１２を両面テープ４０から剥がし、再度第２上壁部６７を外側に折り曲げてから、先端側だけ保護シート１２が剥離した状態でシート材７を壁面４１に沿って引き上げていき、その先端側を壁面４１の貼着部位の上端部に仮止めする。なお、第１の実施形態のように保護シート１２を両面テープ４０に貼着固定したまま、シート材７を引き上げても良い。
【００８７】
次に、シート材７を案内部材７２の案内により裁断する。シート材７の裁断に際しては、図３６に示すように、第２上壁部６７を略水平にして、その先端側が壁面４１に当接するように梱包箱１を配置すると共に、シート材７がなるべく壁面４１及び第２上壁部６７に沿うようにし、案内部材７２に沿ってカッター等の裁断具によりシート材７をまっすぐに裁断する。なお、第２上壁部６７は、少なくともシート材７の裁断の際に、その先端部を壁面４１に当接させればよいが、シート材７を壁面４１に沿って繰り出すときから当接させておいても構わない。
【００８８】
シート材７を裁断すれば、先端側の予め剥離しておいた部分以外の保護シート１２も全て化粧シート１０から剥離し、化粧シート１０の全体を壁面４１に貼着する。
【００８９】
この実施形態では、壁面４１側に繰り出された前記シート材７の裁断に際してカッター等を案内する案内部材７２を備え、壁面４１の案内部材７２に対応する高さからシート材７の貼着箇所の下端までの距離ｂ、ｂ’に応じて、案内部材７２から壁面４１までの距離ａを所定距離に保持するための第２上壁部６７を、前記第１側壁部４の上辺側に折り曲げ自在に連接しているので、壁面４１の下端近傍でシート材７を裁断しなくても、壁面４１の貼着箇所の下端部に対応する長さにシート材７を裁断することができる。
【００９０】
また案内手段７２を第２側壁部５の上部側に設けるようにしているので、楽な姿勢で且つ梱包箱１等が邪魔になることもなくシート材７の裁断を手元側で行なうことができる。また案内部材７２により原反ロール１３側のシート材７のカッター等の裁断具による損傷を防止することができる。
【００９１】
なお、案内部材７２から壁面４１までの距離ａは、壁面４１の案内部材７２に対応する高さからシート材７の貼着箇所の下端までの距離ｂ、ｂ’に対応する所定距離、即ち、シート材７を壁面４１の貼着箇所の下端部に合わせて裁断できるような距離であれば良い。従って、シート材７の撓み等を考慮して、ａ＞ｂ又はｂ＞ａとなるように第２上壁部６７を構成しても良い。
【００９２】
底壁部２と上壁部６とから切り離された第１側壁部３及び第２中間壁部２８により案内部材７２を構成するようにしているので、案内部材７２を梱包箱１と別に設ける必要がなく、コスト、ゴミ等が増えることもない。
【００９３】
図３７〜図４０は本発明の第６の実施形態を例示している。この実施形態は、化粧シート１０の表面が内側となるようにシート材７が巻かれた原反ロール１３を本発明の梱包箱１により梱包した原反ロール梱包製品を例示している。
【００９４】
即ちシート材７は、図３８に示すように、壁紙用等の化粧シート１０と、この化粧シート１０の裏面側の生糊等の糊層１１と、この糊層１１を保護するための保護シート１２とを有し、このシート材７が化粧シート１０の表面が内側となるように巻き芯１４に巻き付けられて、原反ロール１３が構成されている。（以下、化粧シート１０の表面が内側となる巻き方を「裏巻き」という）
梱包箱１としては、図３７に示すように、第１の実施形態に例示したものと略同様のものを例示しているが、その他の実施形態に例示したもの等、本発明の範囲に含まれる梱包箱１を適宜使用可能である。
【００９５】
本実施形態では、固定手段を構成する両面テープ４０が、上壁部６が連接された第１側壁部３側の内面に貼着されている。両面テープ４０は、例えば第１側壁部３の幅方向の略中央に対応してその長手方向に、第１側壁部３及び第２中間壁部２８の略全長にわたって連続的に設けられているが、第１側壁部３の上壁部側６又は底壁部２側に設けても良いし、上壁部６が連接された第１側壁部３側（第１側壁部３の近傍）であれば、上壁部６又は底壁部２に設けても良い。また、両面テープ４０を連続的に設ける以外にも、第１側壁部３及び第２中間壁部２８の略全長にわたって間欠的に設けても良いし、その両端部及び／又は中央部にのみに設けても良い。なお、両面テープ４０は、原反ロール１３からシート材７を繰り出す際に、保護シート１２を貼着して保持できれば、その貼着箇所、幅等を適宜変更することが可能である。
【００９６】
更に固定手段は、シート材７の繰り出しに際して保護シート１２の先端を固定するものであれば良く、両面テープ４０に限定されるものではない。例えば、第２中間壁部２８、上壁部６等に切り込みを入れておき、その切り込みに保護シート１２を挟んで固定するようにしても良い。
【００９７】
なお、梱包箱１の組み立て及び原反ロール１３の梱包については、他の実施形態と同様に行なうことができるので説明を省略する。
【００９８】
図３９は、本実施形態の原反ロール梱包製品を用いて化粧シート１０を壁面４１に貼着する際の説明図である。本実施形態では、上壁部６が連接された側の第１側壁部３が壁面４１側となるように梱包箱１を配置し、その第１側壁部３を壁面４１側の床面４２に開放した状態で作業を行なう。なお、上壁部６は、壁面４１に沿って折り曲げているが、第１側壁部３の上側又は下側に重ねても良いし、第１側壁部３との間で切り取っても良い。
【００９９】
この実施形態では、原反ロール１３が裏巻きになっているので、シート材７を壁面４１に沿って上側に繰り出したときにその糊層１１が壁面４１側となるように原反ロール１３をセットすれば、シート材７が原反ロール１３の下側から壁面４１側に繰り出される。これに対し原反ロール１３が表巻きの場合には、図１１に示したように、シート材７を壁面４１に沿って上側に繰り出したときにその糊層１１が壁面４１側となるように原反ロール１３をセットすれば、シート材７が原反ロール１３の上側から繰り出される。
【０１００】
また、シート材７の繰り出しに際しては、上壁部６が連接された第１側壁部３側の内面に貼着された両面テープ４０に、保護シート１２の先端を貼着しておく。すると、シート材７の繰り出しに伴って上側半分程度の保護シート１２が剥離されるので、化粧シート１０の上部側を糊層１１を介して簡単に壁面に貼着することができる。なお、両面テープ４０に替えて、第１側壁部３側の内面に粘着剤等の接着剤を塗布し、その接着剤を介して保護シート１２を剥離可能に貼着しても良い。
【０１０１】
そして、上部側を貼着した状態で、壁面４１の貼着箇所の下端部に合わせてシート材７を裁断する。このとき、原反ロール１３が裏巻きになっており、壁面４１側の第１側壁部３を壁面４１側に開放しているので、裁断位置よりも原反ロール１３側のシート材７が邪魔になることがなく、壁面４１の貼着箇所の下端部に合わせてシート材７を簡単に裁断することができる。
【０１０２】
即ち、図４０に示すように、シート材７が原反ロール１３の下側から壁面４１側に繰り出されており、壁面４１の貼着箇所の下端部までシート材７を沿わせるだけで、裁断位置よりも原反ロール１３側のシート材７が自然に床面４２に沿うので、原反ロール１３側のシート材７により裁断具の移動が妨害されることがなく、シート材７を簡単に裁断することができる。
【０１０３】
これに対し、原反ロール１３が表巻きの場合には、シート材７が原反ロール１３の上側から壁面４１側に繰り出されており、壁面４１の貼着箇所の下端部までシート材を沿わせただけでは、裁断位置よりも原反ロール１３側のシート材が床面４２側に沿わないため、原反ロール１３側のシート材７を床面４２側に押さえて裁断しなければならず、化粧シート７の裁断が煩雑となる。
【０１０４】
特に、原反ロール１３が表巻きの場合には、原反ロール１３を壁面４１に近づけるほどシート材７の裁断が煩雑になるが、原反ロール１３が裏巻きの場合には、原反ロール１３の壁面４１からの距離に関係なく原反ロール１３側のシート材７が自然に床面４２に沿うので、例えば壁面４１の近くに原反ロール１３を配置してもよく、楽な姿勢で正確且つ安全にシート材７の裁断を行なうことができる。
【０１０５】
なお、上壁部６及び上壁部６が連接された第１側壁部３を壁面４１側に開放しているので、その上でシート材７の裁断を行なえば、床面４２等を傷つけることもないし、床面４２が糊により汚れることもない。
【０１０６】
シート材７を裁断すれば、下部側の保護シート１２を剥離し、化粧シート１０の残りの部分を糊層１１を介して壁面４１に貼着する。このとき、糊層１１の糊として生糊を使用しているので、化粧シート１２を壁面４１に一旦貼着した後に化粧シート１２を剥がして張り直すことができ、簡単に位置調整を行なうことができる。
【０１０７】
本実施形態の原反ロール梱包製品では、原反ロール１３は、化粧シート１０の表面が内側となるようにシート材７が巻かれており、梱包箱１は、底壁部２と、原反ロール１３の軸心方向と略直交する方向に相対向する一対の第１側壁部３，４と、原反ロール１３の軸心方向に相対向する一対の第２側壁部５と、一方の第１側壁部３の上辺に折り曲げ自在に連接された上壁部６とを有する略矩形箱状に構成され、各第２側壁部５に、シート材７の繰り出しに際して原反ロール１３の繰り出し軸８を支持する軸受け部９を開口形成しているので、梱包箱１を用いてシート材７を壁面４１側に繰り出し、そのシート材７の化粧シート１２を壁面４１に貼着できるうえに、壁面４１側の第１側壁部３を開放しておけば、壁面４１の貼着箇所の下端部に合わせてシート材７を裁断する際に、その裁断箇所よりも原反ロール１３側のシート材７が邪魔になることがなく、簡単に裁断することができる。特に、表巻きの場合に比べて原反ロール１３を壁面４１側に近づけることができ、楽な姿勢で安全且つ正確にシート材７を裁断することができる。
【０１０８】
上壁部６が連接された側の第１側壁部３の下辺を、底壁部２に折り曲げ部１６を介して折り曲げ自在に連接し、その第１側壁部３及び上壁部６を折り曲げ部１６廻りに開放した状態で、軸受け部９により繰り出し軸８を支持できるように構成しているので、壁面４１側の第１側壁部３を簡単に開放することができる。また、その第１側壁部３及び上壁部６を床面４２及び壁面４１に開放して、その上で裁断を行なえば、壁面４１及び床面４２を裁断具より傷つけることもないし、壁面４１及び床面４２への糊の付着も防止できる。
【０１０９】
上壁部６が連接された第１側壁部３側の内面に、シート材７の繰り出しに際して保護シート１２の先端側を固定するための固定手段を設けているので、繰り出しに伴って保護シート１２が剥離し、化粧シート１０の上部側を糊層１１を介して簡単に壁面４１に貼着することができる。
【０１１０】
なお、実施形態では上壁部６が連接された側の第１側壁部３の下辺を、折り曲げ部１６を介して折り曲げ自在に底壁部２に連接すると共に、その第１側壁部３の第２側壁部５側に折り曲げ自在に連接された第２中間壁部２８を、第２側壁部５の外壁部２１と内壁部２４との間に挿脱できるように構成しているが、例えば第１側壁部３，４が開閉できないように構成しても良く、この場合には、第１側壁部３，４の一方をカッター等で切り取り、その切り取った側を壁面４１側に向けて配置してシート材７を繰り出すようにすれば良い。
【０１１１】
図４１は本発明の第７の実施形態を例示している。この実施形態の梱包箱１は、軸受け部９が、第２側壁部５の幅方向の中心よりも、開放する第１側壁部３，４（例えば上壁部６が連接された第１側壁部３）側に偏って形成されている。軸受け部９は、上側に開放するＵ字孔状に形成されているが、丸穴状等に形成しても良い。また軸受け部９は、他の実施形態と同様に、繰り出し軸８を第２側壁部５の上下方向の中心よりも上側で支持するようになっている。
【０１１２】
梱包箱１の他の構成は、例えば各実施形態の何れかと略同様である。なお、上壁部が連接されていない第１側壁部４が開放するように構成する場合には、この第１側壁部４側に偏って軸受け部９を形成すればよい。
【０１１３】
また実施形態では、開放する第１側壁部３を壁面４１側に向けて梱包箱１を配置しているが、開放しない第１側壁部４を壁面４１側に向けて配置しても良く、原反ロール１３の巻き方等に応じて適宜選択可能である。
【０１１４】
このように本実施形態では、第２側壁部５の幅方向の中心よりも、開放する第１側壁部３側に偏って軸受け部９を形成しているので、梱包箱１により梱包可能な最大限の大きさの原反ロール１３を、繰り出し軸８を介して軸受け部９により支持した場合にも、開放されない第１側壁部４と原反ロール１３との間に隙間が形成される。従って、開放されない第１側壁部４とシート材７とが擦れることがなく、それらの摩擦による不具合（例えば、シート材７の繰り出し抵抗の増大、化粧シート１０の変性、変色、伸び等）が生じることがない。
【０１１５】
換言すれば、梱包箱１により梱包可能な最大限の大きさの原反ロール１３を梱包した場合にも、その梱包箱１を用いてその原反ロール１３からシート材７を繰り出す際に摩擦等による問題が生じることがない。従って、原反ロール１３に対して大きさに余裕のある梱包箱１を使用する必要がなく、梱包箱１の材料等の無駄がなくなるし、梱包箱１内で原反ロール１３が安定し、充填材等を使用する必要もない。
【０１１６】
なお、この実施形態は、原反ロール１３が表巻き及び裏巻きの何れであっても適用することが可能であるが、摩擦による化粧シート１０の変性等を防止できるなど、原反ロール１３が表巻きの場合に特に有用である。
【０１１７】
また、第１側壁部３，４を開放できないように構成した場合に、第１側壁部３，４の何れか一方に偏って軸受け部９を形成しても良い。この場合、シート材７の繰り出しに際して、軸受け部９に近い側の第１側壁部３，４を切り取ってから、繰り出し軸８を介して軸受け部９により原反ロール１３を支持してシート材１３を繰り出せば良い。
【０１１８】
以上、本発明の各実施形態を詳述したが、本発明は各実施形態に限定されるものではなく、趣旨を逸脱しない範囲で種々の変更が可能である。例えば、各実施形態では、梱包箱１を１枚の段ボールシート１５からの組み立て式に構成しているが、組み立て式でなくても良いし、２枚以上のシートから組み立てるようにしても良い。また軸受け部９の使用に支障がなければ、組み立て後にピン、接着剤等により固定するようにしても良いし、段ボールシート１３に代えて合成樹脂製等の板材を使用しても良い。
【０１１９】
実施形態では、シート材７として、裏面側に糊層１１及びその保護シート１２を備えた壁紙用の化粧シート１０を例示しているが、本発明は、原反ロール１３状に巻かれたシート材７の梱包箱１であれば適用可能である。
【０１２０】
実施形態では、各第２側壁部５に上側に開放する略Ｕ字孔状の軸受け部９を形成しているが、例えば各第２側壁部５の中心部等に丸穴状の軸受け部９を形成しても良い。また軸受け部９をＬ字状等に形成して、繰り出し軸８の上側等への移動を規制するようにしても良い。
【０１２１】
なお、繰り出し軸８の軸受け部９を備えた梱包箱１としては、図４２及び図４３に示すようなものも考えられる。この梱包箱１は、図４２に示すように、底壁部２と、この底壁部２の一方の相対向する２辺から起立する一対の第１側壁部３，４と、底壁部２の他方の相対向する２辺から起立する一対の第２側壁部５と、一方の第１側壁部３の上辺に折り曲げ自在に連接された上壁部６とを有する略矩形箱状に構成され、第１側壁部３，４の第２側壁部５側の両側に、シート材７の繰り出し軸８を支持するための一対の軸受け部９が形成されている。
【０１２２】
軸受け部９は、相対向する両第１側壁部３，４を繰り出し軸８が回転自在に貫通できるように丸穴状に開口形成されている。なお、軸受け部９は、各第１側壁部３，４の少なくとも一方に設ければ十分であるし、上壁部６、底壁部２等に設けても良い。梱包箱１の他の構成は、本発明の各実施形態の何れかと略同様の組み立て式等に構成すれば良い。
【０１２３】
この梱包箱１の軸受け部９を使用してシート材７を繰り出す際には、図４３に示すように、例えば第１側壁部３，４の略中央等で梱包箱１を切断し、この半割箱１ａをその切断部が下側（又は上側）となるように起立状に配置して、その両側の軸受け部９に原反ロール１３の両側から突出する繰り出し軸８を挿通すれば良く、原反ロール１３を回転自在に支持することができる。
【０１２４】
【発明の効果】
本発明の原反ロール用梱包箱は、シート材７の原反ロール１３を梱包するための原反ロール用梱包箱であって、底壁部２と、前記原反ロール１３の軸心方向と略直交する方向に相対向する一対の第１側壁部３，４と、前記原反ロール１３の軸心方向に相対向する一対の第２側壁部５と、一方の前記第１側壁部３の上辺に折り曲げ自在に連接された上壁部６とを有する略矩形箱状に構成し、前記各第２側壁部５に、前記シート材７の繰り出しに際して前記原反ロール１３の繰り出し軸８を支持する軸受け部９を開口形成しているので、シート材７の繰り出し軸８用の軸受け部９を備えているにもかかわらず、原反ロール１３を簡単に梱包することができ、しかもコンパクトに構成することができる。
【０１２５】
また本発明の原反ロール梱包製品は、化粧シート１０の裏面側に糊層１１及びこの糊層１１の保護シート１２を有するシート材７の原反ロール１３を梱包箱１により梱包した原反ロール梱包製品であって、前記原反ロール１３は、前記化粧シート１０の表面が内側となるように前記シート材７が巻かれており、前記梱包箱１は、底壁部２と、前記原反ロール１３の軸心方向と略直交する方向に相対向する一対の第１側壁部３，４と、前記原反ロール１３の軸心方向に相対向する一対の第２側壁部５と、一方の前記第１側壁部３の上辺に折り曲げ自在に連接された上壁部６とを有する略矩形箱状に構成され、前記各第２側壁部３に、前記シート材７の繰り出しに際して前記原反ロール１３の繰り出し軸８を支持する軸受け部９が開口形成されているので、シート材７の繰り出し軸８用の軸受け部９を備えているにもかかわらず、原反ロール１３を簡単に梱包することができ、しかもコンパクトに構成することができる。更に、壁面４１側の第１側壁部５を開放しておけば、壁面４１の貼着箇所の下端部に合わせてシート材７を裁断する際に、その裁断箇所よりも原反ロール１３側のシート材７が邪魔になることがなく、シート材７を簡単に裁断することができる。
【図面の簡単な説明】
【図１】本発明の第１の実施形態を示す梱包箱の斜視図である。
【図２】本発明の第１の実施形態を示す原反ロールの斜視図である。
【図３】本発明の第１の実施形態を示す原反ロール及び繰り出し軸の説明図である。
【図４】本発明の第１の実施形態を示す段ボールシートの展開図である。
【図５】本発明の第１の実施形態を示す梱包箱の組み立て過程の説明図である。
【図６】本発明の第１の実施形態を示す梱包箱の組み立て過程の説明図である。
【図７】本発明の第１の実施形態を示す梱包箱及び原反ロールの断面図である。
【図８】本発明の第１の実施形態を示す梱包箱の断面図である。
【図９】本発明の第１の実施形態を示す梱包箱の断面図である。
【図１０】本発明の第１の実施形態を示す梱包箱の断面図である。
【図１１】本発明の第１の実施形態を示す梱包箱の使用状態の説明図である。
【図１２】本発明の第１の実施形態を示す梱包箱の使用状態の説明図である。
【図１３】本発明の第２の実施形態を示す段ボールシートの展開図である。
【図１４】本発明の第２の実施形態を示す梱包箱の組み立て過程の説明図である。
【図１５】本発明の第２の実施形態を示す梱包箱の組み立て過程の説明図である。
【図１６】本発明の第２の実施形態を示す梱包箱の組み立て過程の説明図である。
【図１７】本発明の第２の実施形態を示す梱包箱及び原反ロールの断面図である。
【図１８】本発明の第２の実施形態を示す梱包箱の側面図である。
【図１９】本発明の第２の実施形態を示す梱包箱の断面図である。
【図２０】本発明の第２の実施形態を示す梱包箱の断面図である。
【図２１】本発明の第３の実施形態を示す段ボールシートの展開図である。
【図２２】本発明の第３の実施形態を示す梱包箱及び原反ロールの断面図である。
【図２３】本発明の第３の実施形態を示す梱包箱の断面図である。
【図２４】本発明の第４の実施形態を示す段ボールシートの展開図である。
【図２５】本発明の第４の実施形態を示す梱包箱の組み立て過程の説明図である。
【図２６】本発明の第４の実施形態を示す梱包箱の組み立て過程の説明図である。
【図２７】本発明の第４の実施形態を示す梱包箱及び原反ロールの断面図である。
【図２８】本発明の第４の実施形態を示す梱包箱の断面図である。
【図２９】本発明の第４の実施形態を示す梱包箱の断面図である。
【図３０】本発明の第４の実施形態を示す梱包箱の使用状態の説明図である。
【図３１】本発明の第４の実施形態を示す梱包箱の使用状態の説明図である。
【図３２】本発明の第５の実施形態を示す段ボールシートの展開図である。
【図３３】本発明の第５の実施形態を示す梱包箱の組み立て過程の説明図である。
【図３４】本発明の第５の実施形態を示す梱包箱の組み立て過程の説明図である。
【図３５】本発明の第５の実施形態を示す梱包箱の断面図である。
【図３６】本発明の第５の実施形態を示す梱包箱の使用状態の説明図である。
【図３７】本発明の第６の実施形態を示す段ボールシートの展開図である
【図３８】本発明の第６の実施形態を示す原反ロールの斜視図である。
【図３９】本発明の第６の実施形態を示すシート材の繰り出しの際の説明図である。
【図４０】本発明の第６の実施形態を示すシート材の裁断の際の説明図である。
【図４１】本発明の第７の実施形態を示す梱包箱の使用状態の説明図である。
【図４２】他の参考例を示す梱包箱の斜視図である。
【図４３】他の参考例を示す梱包箱の使用状態の説明図である。
【符号の説明】
１　梱包箱
２　底壁部
３　第１側壁部
４　第１側壁部
５　第２側壁部
６　上壁部
７　シート材
８　繰り出し軸
８ａ　軸部材
９　軸受け部
１０　化粧シート
１１　糊層
１２　保護シート
１３　原反ロール
１６　折り曲げ部
２１　外壁部
２４　内壁部
２６　第１中間壁部
２８　第２中間壁部
３５　塞ぎ部
４０　両面テープ
４１　壁面
６７　第２上壁部
７２　案内部材
【図１】
2004131178.tif 000003
【図２】
2004131178.tif 000004
【図３】
2004131178.tif 000005
【図４】
2004131178.tif 000006
【図５】
2004131178.tif 000007
【図６】
2004131178.tif 000008
【図７】
2004131178.tif 000009
【図８】
2004131178.tif 000010
【図９】
2004131178.tif 000011
【図１０】
2004131178.tif 000012
【図１１】
2004131178.tif 000013
【図１２】
2004131178.tif 000014
【図１３】
2004131178.tif 000015
【図１４】
2004131178.tif 000016
【図１５】
2004131178.tif 000017
【図１６】
2004131178.tif 000018
【図１７】
2004131178.tif 000019
【図１８】
2004131178.tif 000020
【図１９】
2004131178.tif 000021
【図２０】
2004131178.tif 000022
【図２１】
2004131178.tif 000023
【図２２】
2004131178.tif 000024
【図２３】
2004131178.tif 000025
【図２４】
2004131178.tif 000026
【図２５】
2004131178.tif 000027
【図２６】
2004131178.tif 000028
【図２７】
2004131178.tif 000029
【図２８】
2004131178.tif 000030
【図２９】
2004131178.tif 000031
【図３０】
2004131178.tif 000032
【図３１】
2004131178.tif 000033
【図３２】
2004131178.tif 000034
【図３３】
2004131178.tif 000035
【図３４】
2004131178.tif 000036
【図３５】
2004131178.tif 000037
【図３６】
2004131178.tif 000038
【図３７】
2004131178.tif 000039
【図３８】
2004131178.tif 000040
【図３９】
2004131178.tif 000041
【図４０】
2004131178.tif 000042
【図４１】
2004131178.tif 000043
【図４２】
2004131178.tif 000044
【図４３】
2004131178.tif 000045